(57)【要約】【課題】印刷の設定を行うときの利便性を向上させる。【解決手段】指示受付装置は、設定項目の設定を受け付ける操作表示部と、複数の設定項目の設定回数を示す回数情報を記憶する記憶部と、２つ以上の設定画面を順次表示して設定を受け付ける順次受付処理を行わせるとともに、設定の受け付けが完了すると、設定内容が変更された設定項目の設定回数をカウントアップする制御部と、を備え、制御部は、今回印刷ファイルのファイル形式に対応する回数情報で示される複数の設定項目のうち、設定回数が最も多い設定項目の設定画面から順番に、２つ以上の設定項目の設定画面を１つずつ表示し設定を受け付ける通常処理を順次受付処理として行わせる。【選択図】図１
2019045890.tif 000002
【特許請求の範囲】
【請求項１】
ファイルの印刷指示をユーザーから受け付けるとともに、設定画面を表示し、現在表示中の前記設定画面に対応する設定項目の設定をユーザーから受け付ける操作表示部と、
複数の前記設定項目の設定回数を示す回数情報を記憶する記憶部と、
２つ以上の前記設定画面を順次表示して前記設定をユーザーから受け付ける順次受付処理を前記操作表示部に行わせるとともに、前記操作表示部による前記設定の受け付けが完了すると、前記設定により設定内容が変更された前記設定項目の前記設定回数をカウントアップする制御部と、を備え、
前記記憶部は、前記操作表示部が前記印刷指示を受け付けた前記ファイルのファイル形式を記憶するとともに、前記ファイルの前記ファイル形式ごとに前記回数情報を記憶し、
前記制御部は、前記操作表示部に前記順次受付処理を行わせる前に、前記操作表示部が前記印刷指示を今回受け付けた前記ファイルである今回印刷ファイルの前記ファイル形式を認識するとともに、前記今回印刷ファイルの前記ファイル形式に対応する前記回数情報が前記記憶部に記憶されているか否かを判断し、前記今回印刷ファイルの前記ファイル形式に対応する前記回数情報が前記記憶部に記憶されている場合、前記今回印刷ファイルの前記ファイル形式に対応する前記回数情報で示される複数の前記設定項目のうち、前記設定回数が最も多い前記設定項目の前記設定画面から順番に、２つ以上の前記設定項目の前記設定画面を１つずつ表示し前記設定をユーザーから受け付ける通常処理を前記順次受付処理として前記操作表示部に行わせることを特徴とする指示受付装置。
【請求項２】
前記記憶部は、前記操作表示部が前記印刷指示を受け付けた前記ファイルのファイル名および前記印刷指示の受付日時を少なくとも含む印刷履歴を示す履歴情報を記憶するとともに、前記ファイルの前記ファイル名ごとに前記回数情報を記憶し、
前記制御部は、前記今回印刷ファイルの前記ファイル形式に対応する前記回数情報が前記記憶部に記憶されている場合、前記今回印刷ファイルと前記ファイル名が同じ前記ファイルの前記履歴情報が前記記憶部に記憶されていれば、前記今回印刷ファイルの前記履歴情報と、前記今回印刷ファイルと前記ファイル名が同じであって前記操作表示部が前記印刷指示を前回受け付けた前記ファイルである前回印刷ファイルの前記履歴情報とに基づき、前記前回印刷ファイルの印刷に際し行われた前記設定である前回設定において設定ミスが発生した可能性があるか否かを判定するミス判定処理を行い、前記設定ミスが発生した可能性があると判定したとき、前記前回設定が行われたことによってカウントアップした前記設定回数の値を前記前回設定が行われる直前の値に戻す回数情報修正処理を行ってから、前記操作表示部に前記通常処理を行わせることを特徴とする請求項１に記載の指示受付装置。
【請求項３】
前記制御部は、前記設定ミスが発生した可能性があると判定したとき、前記設定を前回間違えたか否かの受け付けを前記操作表示部に行わせ、前記設定を前回間違えた旨を受け付けた場合に、前記回数情報修正処理を行ってから、前記操作表示部に前記通常処理を行わせ、前記設定を間違えていない旨を受け付けた場合には、前記回数情報修正処理を行わずに、前記操作表示部に前記通常処理を行わせることを特徴とする請求項２に記載の指示受付装置。
【請求項４】
前記履歴情報は、前記ファイルの更新日時を含み、
前記制御部は、前記今回印刷ファイルの前記更新日時と前記前回印刷ファイルの前記更新日時とが同じで、かつ、前記今回印刷ファイルの前記受付日時から前記前回印刷ファイルの前記受付日時までの期間が予め定められた閾値期間以下であるとき、前記設定ミスが発生した可能性があると判定することを特徴とする請求項２または３に記載の指示受付装置。
【請求項５】
前記制御部は、前記今回印刷ファイルの前記更新日時と前記前回印刷ファイルの前記更新日時とが同じで、かつ、前記今回印刷ファイルの前記受付日時から前記前回印刷ファイルの前記受付日時までの期間が前記閾値期間を超えているとき、前記設定ミスが発生していないと判定し、前記前回設定が行われたことによって設定内容が変更された前記設定項目を認識するとともに、当該認識した前記設定項目の設定内容を前記前回設定が行われたときの設定内容に変更することを特徴とする請求項４に記載の指示受付装置。
【請求項６】
前記履歴情報は、前記ファイルのファイルサイズを含み、
前記制御部は、前記今回印刷ファイルの前記更新日時と前記前回印刷ファイルの前記更新日時とが異なり、かつ、前記今回印刷ファイルのファイルサイズが前記前回印刷ファイルの前記ファイルサイズに対して予め定められた閾値サイズ以上増減しているとき、前記ミス判定処理を行わず、前記操作表示部に前記通常処理を行わせることを特徴とする請求項４または５に記載の指示受付装置。
【請求項７】
前記制御部は、前記今回印刷ファイルの前記更新日時と前記前回印刷ファイルの前記更新日時とが異なり、かつ、前記今回印刷ファイルのファイルサイズが前記前回印刷ファイルの前記ファイルサイズに対して前記閾値サイズ以上増減していないとき、前記ミス判定処理を行わず、前記今回印刷ファイルの前記ファイル名に対応する前記回数情報で示される複数の前記設定項目のうち、前記設定回数が最も多い前記設定項目の前記設定画面から順番に、２つ以上の前記設定項目の前記設定画面を１つずつ表示し前記設定をユーザーから受け付けるファイル名優先処理を前記順次受付処理として前記操作表示部に行わせることを特徴とする請求項６に記載の指示受付装置。
【請求項８】
前記制御部は、前記設定が行われたことによって設定内容を変更した前記設定項目の変更後の設定内容を前記操作表示部に表示させることを特徴とする請求項１〜７のいずれか１項に記載の指示受付装置。
【請求項９】
請求項１〜８のいずれか１項に記載の指示受付装置と、
前記指示受付装置に通信可能に接続され、前記指示受付装置が前記印刷指示を受け付けた前記ファイルの印刷を実行する画像形成装置と、を備えることを特徴とする画像形成システム。
【発明の詳細な説明】
【技術分野】
【０００１】
本発明は、印刷指示を受け付ける指示受付装置および画像形成システムに関する。
【背景技術】
【０００２】
複合機のような画像形成装置は、印刷に際し、複数の設定項目のうちユーザー所望の設定項目の設定を受け付ける（たとえば、特許文献１参照）。
【０００３】
特許文献１の画像形成装置は、ユーザーから設定を受け付けるとき、複数の設定項目（機能）にそれぞれ対応する複数の項目ボタンを配した画面を表示する。そして、複数の項目ボタンのいずれかを操作することにより、当該操作した項目ボタンに対応する設定項目の設定が可能となる。
【先行技術文献】
【特許文献】
【０００４】
【特許文献１】特開２０１５−１１４９４７号公報
【発明の概要】
【発明が解決しようとする課題】
【０００５】
画像形成装置をプリンターとして機能させる場合には、画像形成装置にパーソナルコンピューター（ＰＣ）が接続される。そして、ユーザーは、ＰＣを用いてファイルの作成や印刷の設定を行う。また、ユーザーは、ＰＣから画像形成装置に対し、ファイルの印刷指示を与える。すなわち、ＰＣが指示受付装置となる。
【０００６】
指示受付装置としてのＰＣにはプリンタードライバー（ＰＤ）がインストールされる。ＰＣから画像形成装置に対して印刷指示を与えるとき、ユーザーはＰＤを起動する。ＰＤを起動することにより、印刷の設定をＰＣにて行うことができる。
【０００７】
通常では、ＰＤを起動すると、ＰＣにプロパティ画面が表示される。そして、プロパティ画面から所望の設定項目を選択することにより、所望の設定項目の設定を行うことができるようになる。
【０００８】
しかし、ユーザーからすると、ファイルを印刷するときに、ＰＣにプロパティ画面を表示し、プロパティ画面から所望の設定項目を選択するのは、煩わしく利便性が悪い。
【０００９】
本発明は、上記課題を解決するためになされたものであり、印刷の設定を行うときの利便性を向上させることが可能な指示受付装置および画像形成システムを提供することを目的とする。
【課題を解決するための手段】
【００１０】
上記目的を達成するため、本発明の第１の局面による指示受付装置は、ファイルの印刷指示をユーザーから受け付けるとともに、設定画面を表示し、現在表示中の設定画面に対応する設定項目の設定をユーザーから受け付ける操作表示部と、複数の設定項目の設定回数を示す回数情報を記憶する記憶部と、２つ以上の設定画面を順次表示して設定をユーザーから受け付ける順次受付処理を操作表示部に行わせるとともに、操作表示部による設定の受け付けが完了すると、設定により設定内容が変更された設定項目の設定回数をカウントアップする制御部と、を備える。記憶部は、操作表示部が印刷指示を受け付けたファイルのファイル形式を記憶するとともに、ファイルのファイル形式ごとに回数情報を記憶する。制御部は、操作表示部に順次受付処理を行わせる前に、操作表示部が印刷指示を今回受け付けたファイルである今回印刷ファイルのファイル形式を認識するとともに、今回印刷ファイルのファイル形式に対応する回数情報が記憶部に記憶されているか否かを判断し、今回印刷ファイルのファイル形式に対応する回数情報が記憶部に記憶されている場合、今回印刷ファイルのファイル形式に対応する回数情報で示される複数の設定項目のうち、設定回数が最も多い設定項目の設定画面から順番に、２つ以上の設定項目の設定画面を１つずつ表示し設定をユーザーから受け付ける通常処理を順次受付処理として操作表示部に行わせる。
【００１１】
本発明の第２の局面による画像形成システムは、上記指示受付装置と、指示受付装置に通信可能に接続され、指示受付装置が印刷指示を受け付けたファイルの印刷を実行する画像形成装置と、を備える。
【００１２】
本発明の構成では、或るファイルを今回印刷するとき、今回印刷ファイルと同じファイル形式のファイルを従前に印刷したことがあれば、順次受付処理として通常処理が行われる。通常処理では、今回印刷ファイルのファイル形式に対応する回数情報で示される複数の設定項目のうち、設定回数が最も多い設定項目の設定画面から順番に、２つ以上の設定項目の設定画面が１つずつ表示される。言い換えると、設定回数がより多い設定項目の設定画面が優先的に表示される。これにより、今回印刷ファイルと同じファイル形式のファイルの印刷時（従前の印刷時）に設定した設定内容を今回印刷ファイルの印刷にも反映させたい場合には、設定を簡単に行えるようになる。その結果、印刷の設定を行うときの利便性を向上させることができる。
【発明の効果】
【００１３】
本発明の構成では、印刷の設定を行うときの利便性を向上させることができる。
【図面の簡単な説明】
【００１４】
【図１】本発明の一実施形態によるパーソナルコンピューター（ＰＣ）および当該ＰＣを備えた画像形成システムの構成を示す図である。
【図２】本発明の一実施形態によるＰＣに表示されるプロパティ画面を示す図である。
【図３】本発明の一実施形態によるＰＣに記憶される回数情報（第１回数情報）について説明するための図である。
【図４】本発明の一実施形態によるＰＣに記憶される回数情報（第２回数情報）について説明するための図である。
【図５】本発明の一実施形態によるＰＣに表示される設定画面を示す図である。
【図６】本発明の一実施形態によるＰＣに表示される設定画面を示す図である。
【図７】本発明の一実施形態によるＰＣに表示される設定画面を示す図である。
【図８】本発明の一実施形態によるＰＣに表示される設定確認画面を示す図である。
【図９】本発明の一実施形態によるＰＣに表示される設定完了画面を示す図である。
【図１０】本発明の一実施形態によるＰＣに表示されるミス確認画面を示す図である。
【図１１】本発明の一実施形態によるＰＣが行う判断処理の流れを示す図である。
【図１２】本発明の一実施形態によるＰＣが行う処理（今回印刷ファイルが第１ファイルである場合の処理）の流れを示す図である。
【図１３】本発明の一実施形態によるＰＣが行う処理（今回印刷ファイルが第２ファイルである場合の処理）の流れを示す図である。
【図１４】本発明の一実施形態によるＰＣが行う処理（通常処理を選択した場合の処理）の流れを示す図である。
【図１５】本発明の一実施形態によるＰＣが行う処理（ファイル名優先処理を選択した場合の処理）の流れを示す図である。
【図１６】本発明の一実施形態によるＰＣが行う回数情報修正処理の流れを示す図である。
【図１７】本発明の一実施形態によるＰＣが行う設定復元処理の流れを示す図である。
【図１８】本発明の一実施形態によるＰＣが行う処理（プロパティ画面を表示して以降の処理）の流れを示す図である。
【図１９】本発明の一実施形態によるＰＣが行う回数情報更新処理の流れを示す図である。
【発明を実施するための形態】
【００１５】
＜装置構成＞
図１に示すように、本実施形態のパーソナルコンピューター１は、ＬＡＮなどのネットワークを介して、複合機２に通信可能に接続される。そして、パーソナルコンピューター１と複合機２とで画像形成システムＩＳが構成される。パーソナルコンピューター１は「指示受付装置」に相当し、複合機２は「画像形成装置」に相当する。以下の説明では、パーソナルコンピューター１をＰＣ１と称する。
【００１６】
たとえば、ＰＣ１から複合機２へは、印刷命令が送信される。印刷命令には、ＰＣ１を用いてユーザーが作成したファイル（ＰＤＬデータなど）が含まれる。また、印刷命令には、ＰＣ１を用いてユーザーが設定した印刷条件（印刷に関する設定項目の設定値）を示す設定情報が含まれる。
【００１７】
ＰＣ１は、ユーザーにより使用されるユーザー端末である。ＰＣ１は、デスクトップ型であってもよいしノート型であってもよい。また、ＰＣ１に代えて、スマートフォンやタブレットコンピューターなどの携帯情報端末を「指示受付装置」として機能させることもできる。
【００１８】
ＰＣ１は、ＰＣ制御部１１、ＰＣ操作表示部１２、ＰＣ記憶部１３およびＰＣ通信部１４を備える。ＰＣ制御部１１は「制御部」に相当し、ＰＣ操作表示部１２は「操作表示部」に相当し、ＰＣ記憶部１３は「記憶部」に相当する。
【００１９】
ＰＣ制御部１１は、ＣＰＵ１１１およびメモリー１１２を備える。ＣＰＵ１１１は、制御用プログラムおよび制御用データに基づき動作し、ＰＣ１の制御を行う。メモリー１１２は、不揮発性メモリー（ＲＯＭ）および揮発性メモリー（ＲＡＭ）を含む。メモリー１１２は、ＣＰＵ１１１を動作させるための制御用プログラムおよび制御用データを記憶する。
【００２０】
ＰＣ操作表示部１２は、画面を表示し、ユーザーから入力操作を受け付ける。ＰＣ操作表示部１２の表示動作はＰＣ制御部１１によって制御される。また、ＰＣ操作表示部１２に対して行われた入力操作はＰＣ制御部１１によって検知される。
【００２１】
ＰＣ操作表示部１２は、画面を表示する表示装置１２１および入力操作を受け付ける入力装置１２２を備える。特に限定されないが、表示装置１２１は、ＬＣＤである。入力装置１２２は、ハードウェアキーボードやポインティングデバイスなどである。なお、ＰＣ１にタッチスクリーンが設置されている場合には、タッチスクリーンが「操作表示部」として機能する。
【００２２】
ＰＣ記憶部１３は、ＲＯＭ（たとえば、ＥＥＰＲＯＭ）のような不揮発性の記憶デバイスを含む。ＰＣ制御部１１は、ＰＣ記憶部１３からのデータの読み出しや、ＰＣ記憶部１３へのデータの書き込みを行う。
【００２３】
たとえば、ＰＣ記憶部１３は、ＰＣ１にインストールされたドキュメント作成ソフトウェア１１０（以下、ＤＳ１１０と称する）を記憶する。また、ＰＣ１にはプリンタードライバー１２０（以下、ＰＤ１２０と称する）がインストールされ、ＰＣ記憶部１３はＰＤ１２０を記憶する。
【００２４】
ＤＳ１１０およびＰＤ１２０をＰＣ１にインストールすることにより、ユーザーはＰＣ１を用いてドキュメントファイルを作成し、当該作成したドキュメントファイルの印刷命令をＰＣ１から複合機２に送信することができる。また、ＰＣ１から複合機２に印刷命令を送信するときに、ユーザーはＰＣ１を用いて印刷に関する設定項目の設定値を設定し、当該設定した設定内容を示す設定情報を印刷命令に含めることができる。
【００２５】
ＰＣ１は、ユーザーから送信指示を受け付けると、複合機２に印刷命令を送信する。複合機２は、印刷命令を受信すると、印刷命令に含まれる設定情報で示される設定内容を認識し、当該認識した設定内容に基づき、印刷命令に含まれるドキュメントファイルの印刷を行う。
【００２６】
ＰＣ通信部１４は、ＰＣ１を複合機２に通信可能に接続するための通信用インターフェイスであり、通信用回路や通信用メモリーを含む。ＰＣ制御部１１は、ＰＣ通信部１４を用いて、複合機２との間で通信（複合機２への印刷命令の送信）を行う。
【００２７】
複合機２は、たとえば、レーザー方式の画像形成装置である。ただし、複合機２がインクジェット方式の画像形成装置であってもよい。また、複合機２に代えて、印刷機能のみを有するプリンターが用いられてもよい。
【００２８】
複合機２は、複合機制御部２１、画像読取部２２、印刷部２３、複合機通信部２４およびＵＳＢインターフェイス部２５を備える。また、複合機２には、操作パネル３が設置される。
【００２９】
複合機制御部２１は、ＣＰＵ２１１およびメモリー２１２を備える。ＣＰＵ２１１は、制御用プログラムおよび制御用データに基づき動作し、複合機２の制御を行う。メモリー２１２は、不揮発性メモリーおよび揮発性メモリーを含む。メモリー２１２は、ＣＰＵ２１１を動作させるための制御用プログラムおよび制御用データを記憶する。
【００３０】
画像読取部２２は、原稿を光学的に読み取る。画像読取部２２は、原稿に光を照射する光源や、原稿からの反射光を受光し原稿の画像データを生成するイメージセンサーなどを備える。
【００３１】
印刷部２３は、印刷データ（画像読取部２２が読み取った原稿の画像データやＰＣ１から複合機２に送信されたＰＤＬデータなど）に基づき画像を形成し、当該形成した画像を用紙に印刷する。印刷部２３は、感光体ドラム、感光体ドラムの周面上に静電潜像を形成する露光装置、感光体ドラムの周面上に形成された静電潜像をトナー像に現像する現像装置、および、感光体ドラムの周面に圧接して感光体ドラムとの間で転写ニップを形成する転写ローラーなどを備える。
【００３２】
また、印刷部２３は、用紙搬送路に沿って用紙を搬送する搬送ローラーを備える。用紙搬送路に沿って搬送される用紙は転写ニップを通過する。そして、このときに、感光体ドラムの周面上のトナー像が用紙に転写（印刷）される。
【００３３】
複合機通信部２４は、複合機２をＰＣ１に通信可能に接続するための通信用インターフェイスであり、通信用回路や通信用メモリーを含む。複合機制御部２１は、複合機通信部２４を用いて、ＰＣ１との間で通信を行う。ＰＣ１からの印刷命令は複合機通信部２４が受信する。
【００３４】
ＵＳＢインターフェイス部２５は、ＵＳＢメモリーなどのＵＳＢデバイスを複合機２に装着するためのインターフェイスである。ＵＳＢインターフェイス部２５は、ＵＳＢデバイスの端子が差し込まれるソケットや、当該ソケットに差し込まれたＵＳＢデバイスとの間で通信を行うためのＵＳＢ通信用回路などを含む。複合機制御部２１は、ＵＳＢインターフェイス部２５に装着されたＵＳＢデバイスと通信し、ＵＳＢデバイスにデータを記憶させたり、ＵＳＢデバイスからデータを読み出したりする。
【００３５】
操作パネル３は、パネル制御部３１、パネル操作表示部３２およびパネル記憶部３３を備える。
【００３６】
パネル制御部３１は、パネルＣＰＵおよびパネルメモリーを備える。パネルＣＰＵは、制御用プログラムおよび制御用データに基づき動作し、操作パネル３の制御を行う。パネルメモリーは、不揮発性メモリーおよび揮発性メモリーを含む。パネルメモリーは、パネルＣＰＵを動作させるための制御用プログラムおよび制御用データを記憶する。
【００３７】
パネル操作表示部３２は、タッチスクリーン（タッチパネルを有するディスプレイ）を含む。パネル操作表示部３２は、タッチスクリーンに画面を表示し、表示画面に対するタッチ操作を受け付ける。パネル操作表示部３２は、パネル制御部３１により制御される。
【００３８】
パネル記憶部３３は、ＲＯＭ（たとえば、ＥＥＰＲＯＭ）などの不揮発性の記憶デバイスを含む。パネル制御部３１は、パネル記憶部３３からのデータの読み出しや、パネル記憶部３３へのデータの書き込みを行う。
【００３９】
＜ファイルの印刷＞
ＰＣ制御部１１は、ＰＣ操作表示部１２がＤＳ１１０の起動指示をユーザーから受け付けると、ＤＳ１１０を起動し、ファイル作成画面（図示せず）の表示指示をＰＣ操作表示部１２に与える。当該表示指示を受けたＰＣ操作表示部１２は、ファイル作成画面を表示し、ドキュメントファイルの作成をユーザーから受け付ける。すなわち、ＰＣ操作表示部１２にファイル作成画面が表示されることにより、ユーザーはドキュメントファイルを作成することができる。
【００４０】
ＰＣ操作表示部１２は、ファイル作成画面の表示中、ドキュメントファイルの印刷指示をユーザーから受け付ける。たとえば、ファイル作成画面には印刷アイコンが配される。ＰＣ操作表示部１２は、印刷アイコンに対する操作を印刷指示として受け付ける。
【００４１】
ＰＣ制御部１１は、ＰＣ操作表示部１２が印刷指示を受け付けたことを検知すると、印刷対象のドキュメントファイル（ユーザーが印刷しようとしているドキュメントファイル）を認識する。たとえば、ユーザーが印刷指示を行った時点で開かれていたドキュメントファイルが印刷対象となる。
【００４２】
また、ＰＣ制御部１１は、ＰＣ操作表示部１２が印刷指示を受け付けたことを検知すると、基本印刷画面（図示せず）をＰＣ操作表示部１２に表示させる。基本印刷画面は、複合機２への印刷命令の送信指示をユーザーから受け付けるための画面である。たとえば、基本印刷画面には、送信ボタンが配される。なお、印刷対象のドキュメントファイルをプレビューするためのプレビュー領域が基本印刷画面に配されてもよい。
【００４３】
ＰＣ制御部１１は、送信ボタンに対する操作を送信指示として検知する。ＰＣ制御部１１は、ＰＣ操作表示部１２が送信指示を受け付けた（送信ボタンが操作された）ことを検知すると、印刷対象のドキュメントファイルの印刷命令を複合機２に送信する。
【００４４】
＜順次受付処理＞
（プロパティ画面）
ＰＣ操作表示部１２は、印刷に関する設定（以下、印刷設定と称する）をユーザーから受け付ける画面として、図２に示すようなプロパティ画面ＰＳを表示する。プロパティ画面ＰＳは、基本印刷画面上にポップアップ表示される。プロパティ画面ＰＳは、複数の設定項目のそれぞれの設定をユーザーから受け付けるための画面である。
【００４５】
プロパティ画面ＰＳには、複数のタブキーＴＫが配される。たとえば、「基本設定」というタブキーＴＫを操作すると、プロパティ画面ＰＳで基本設定を行うことができる（プロパティ画面ＰＳが図２に示す状態になる）。また、たとえば、「印刷品質」というタブキーＴＫを操作すると、図示しないが、印刷品質に関する設定項目の設定を行うことができる。一例を挙げると、エコプリントモード、光沢モードおよび色再現モード（グラフィックや写真を鮮やかに印刷するモード）など特殊モードの設定を行うことができる。
【００４６】
プロパティ画面ＰＳには「ＯＫ」ボタンＢ１が配される。ＰＣ制御部１１は、「ＯＫ」ボタンＢ１に対する操作が行われると、当該操作を印刷設定の完了指示として検知する。この場合、ＰＣ制御部１１は、ＰＣ操作表示部１２に指示し、プロパティ画面ＰＳの表示を停止させる（基本印刷画面の全面をＰＣ操作表示部１２に表示させる）。プロパティ画面ＰＳの表示が停止されると、送信ボタンに対する操作が有効となり、印刷対象のドキュメントファイルの印刷命令を複合機２に送信することができるようになる。
【００４７】
また、プロパティ画面ＰＳにはキャンセルボタンＢ２が配される。ＰＣ制御部１１は、キャンセルボタンＢ２に対する操作が行われると、当該操作をキャンセル指示として検知する。この場合、ＰＣ制御部１１は、ＰＣ操作表示部１２がキャンセル指示を受け付けるまでに行われた印刷設定での設定内容をデフォルトに戻す（全ての設定項目の設定値がデフォルト値になる）。そして、ＰＣ制御部１１は、ＰＣ操作表示部１２に指示し、プロパティ画面ＰＳの表示を停止させる。
【００４８】
基本設定とは異なる設定（エコプリントモードの設定など）を行いたい場合には、ＰＣ１にプロパティ画面ＰＳを表示し、複数のタブキーＴＫから所望の設定項目（設定を行いたい設定項目）に対応するタブキーＴＫを検索して選択的に操作する必要がある。したがって、ユーザーにとっては煩わしい。
【００４９】
このような不都合を解消するため、ＰＣ制御部１１は、ＰＣ操作表示部１２に順次受付処理を行わせる。以下に、順次受付処理について詳細に説明する。
【００５０】
（順次受付処理で参照する情報）
ＰＣ制御部１１は、ＰＣ操作表示部１２に順次受付処理を行わせるとき、回数情報１００（図１参照）を参照する。そして、ＰＣ制御部１１は、回数情報１００に基づき、ＰＣ操作表示部１２による順次受付処理を制御する。回数情報１００は、ＰＣ記憶部１３に記憶される。
【００５１】
回数情報１００は、図３および図４に示すように、印刷に関する複数の設定項目のそれぞれの設定回数（印刷設定により設定内容がデフォルトから変更された回数）を示す情報である。回数情報１００の更新はＰＣ制御部１１が行う。
【００５２】
ＰＣ制御部１１は、ＰＣ操作表示部１２による印刷設定の受け付けが完了すると（印刷設定が完了したと判断すると）、回数情報１００を更新する回数情報更新処理を行う。回数情報更新処理を行うとき、ＰＣ制御部１１は、複数の設定項目のうち印刷設定により設定内容がデフォルトから変更された設定項目を対象項目として認識する。そして、ＰＣ制御部１１は、対象項目に対応する設定回数の値を１カウントアップする。
【００５３】
なお、ＰＣ記憶部１３は、ドキュメントファイルのファイル形式（ドキュメントファイルのファイル名に含まれる拡張子）ごとに回数情報１００を記憶する。言い換えると、複数種のファイル形式にそれぞれ対応する複数の回数情報１００がＰＣ記憶部１３に記憶される。以下の説明では、ファイル形式ごとの回数情報１００を第１回数情報１０１と称する。第１回数情報１０１の概念図を図３に示す。
【００５４】
ＰＣ制御部１３は、ＰＣ操作表示部１２が印刷指示を受け付けて以降、ＰＣ操作表示部１２による印刷設定の受け付けが完了したとき（回数情報１００を更新すべきタイミングになったとき）、対象項目を認識するのに加えて、現在印刷の対象となっているドキュメントファイル、すなわち、印刷指示を今回受け付けたドキュメントファイル（以下、今回印刷ファイルと称する）のファイル形式を認識する。そして、ＰＣ制御部１１は、複数の第１回数情報１０１のうち、今回印刷ファイルのファイル形式に対応する第１回数情報１０１については更新するが、他のファイル形式に対応する第１回数情報１０１については更新しない。なお、今回印刷ファイルのファイル形式に対応する第１回数情報１０１がＰＣ記憶部１３に記憶されていない場合（今回印刷ファイルとファイル形式が同じドキュメントファイルの印刷指示を従前に受け付けたことがない場合）には、今回印刷ファイルのファイル形式に対応する第１回数情報１０１が新たに追加される。
【００５５】
たとえば、今回印刷ファイルがファイル形式ＦＡであり、対象項目が設定項目ａおよびｂであったとする。この場合には、図３に示すように、ファイル形式ＦＡに対応する第１回数情報１０１が更新され、ファイル形式ＦＢを含む他のファイル形式に対応する第１回数情報１０１は更新されない。また、ファイル形式ＦＡに対応する第１回数情報１０１で示される複数の設定項目のうち、設定項目ａおよびｂの設定回数の値が１カウントアップされ、設定項目ｃを含む他の設定項目の設定回数の値はカウントアップされない。
【００５６】
また、ＰＣ記憶部１３は、ドキュメントファイルのファイル名ごとに回数情報１００を記憶する。言い換えると、複数種のファイル名にそれぞれ対応する複数の回数情報１００がＰＣ記憶部１３に記憶される。以下の説明では、ファイル名ごとの回数情報１００を第２回数情報１０２と称する。第２回数情報１０２の概念図を図４に示す。
【００５７】
ＰＣ制御部１３は、ＰＣ操作表示部１２が印刷指示を受け付けて以降、ＰＣ操作表示部１２による印刷設定の受け付けが完了したとき、対象項目を認識するのに加えて、今回印刷ファイルのファイル名を認識する。そして、ＰＣ制御部１１は、複数の第２回数情報１０２のうち、今回印刷ファイルのファイル名に対応する第２回数情報１０２については更新するが、他のファイル形式に対応する第２回数情報１０２については更新しない。なお、今回印刷ファイルのファイル名に対応する第２回数情報１０２がＰＣ記憶部１３に記憶されていない場合（今回印刷ファイルとファイル名が同じドキュメントファイルの印刷指示を従前に受け付けたことがない場合）には、今回印刷ファイルのファイル名に対応する第２回数情報１０２が新たに追加される。
【００５８】
たとえば、今回印刷ファイルがファイル名ＮＡであり、対象項目が設定項目ａおよびｂであったとする。この場合には、図４に示すように、ファイル名ＮＡに対応する第２回数情報１０２が更新され、ファイル名ＮＢを含む他のファイル名に対応する第２回数情報１０２は更新されない。また、ファイル名ＮＡに対応する第２回数情報１０２で示される複数の設定項目のうち、設定項目ａおよびｂの設定回数の値が１カウントアップされ、設定項目ｃを含む他の設定項目の設定回数の値はカウントアップされない。
【００５９】
また、ＰＣ制御部１１は、ＰＣ操作表示部１２による順次受付処理を制御するため、ドキュメントファイルの印刷指示を受け付けると、印刷指示を受け付けたドキュメントファイルのファイル形式をＰＣ記憶部１３に記憶させる。さらに、ＰＣ制御部１１は、印刷指示を受け付けたドキュメントファイルごとに、ドキュメントファイルの印刷履歴を示す履歴情報２００（図１参照）をＰＣ記憶部１３に記憶させる。履歴情報２００で示される印刷履歴には、ドキュメントファイルの印刷指示を受け付けた受付日時、ドキュメントファイルのファイル名、キュメントファイルの更新日時、ドキュメントファイルのファイルサイズ、および、印刷に関する設定内容（設定値）などが含まれる。
【００６０】
（順次受付処理で表示する画面）
ＰＣ制御部１１は、回数情報１００と履歴情報２００とに基づき、ＰＣ操作表示部１２による順次受付処理を制御する。ＰＣ操作表示部１２は、順次受付処理として、印刷に関する複数の設定項目のうち、２つ以上の設定項目にそれぞれ対応する各設定画面１０Ｓ（図５〜図７参照）を順次表示し、現在表示中の設定画面１０Ｓに対応する設定項目の設定値の設定を受け付ける処理を行う。
【００６１】
設定画面１０Ｓの一例を図５〜図７に示す。設定画面１０Ｓには、「ＹＥＳ」ボタンＢ１１および「ＮＯ」ボタンＢ１２が配される。
【００６２】
図５の設定画面１０Ｓはエコプリントモードに関する設定を受け付けるための画面である。エコプリントモードの設定画面１０Ｓにおいて、「ＹＥＳ」ボタンＢ１１を操作するとエコプリントモードを有効に設定することができ、「ＮＯ」ボタンＢ１２を操作するとエコプリントモードを無効に設定することができる。
【００６３】
図６の設定画面１０Ｓは光沢モードに関する設定を受け付けるための画面である。光沢モードの設定画面１０Ｓにおいて、「ＹＥＳ」ボタンＢ１１を操作すると光沢モードを有効に設定することができ、「ＮＯ」ボタンＢ１２を操作すると光沢モードを無効に設定することができる。
【００６４】
図７の設定画面１０Ｓは色再現モードに関する設定を受け付けるための画面である。色再現モードの設定画面１０Ｓにおいて、「ＹＥＳ」ボタンＢ１１を操作すると色再現モードを有効に設定することができ、「ＮＯ」ボタンＢ１２を操作すると色再現モードを無効に設定することができる。
【００６５】
また、設定画面１０Ｓには、設定完了ボタンＢ１３が配される。設定完了ボタンＢ１３は、順次受付処理の完了指示を受け付けるためのボタンであって、印刷設定の完了指示を受け付けるためのボタンではない。言い換えると、設定完了ボタンＢ１３を操作しても、プロパティ画面ＰＳでの印刷設定を引き続き行うことができる。
【００６６】
ＰＣ制御部１１は、設定完了ボタンＢ１３が操作されたことを検知すると、ＰＣ操作表示部１２による順次受付処理が完了したと判断する。このとき、ＰＣ制御部１１は、ＰＣ操作表示部１２による印刷設定の受け付けが完了したと判断しない。
【００６７】
ＰＣ制御部１１は、ＰＣ操作表示部１２による順次受付処理が完了すると、図８に示すような設定確認画面２０ＳをＰＣ操作表示部１２に表示させる。設定確認画面２０Ｓは、順次受付処理の完了までに行われた印刷設定での設定内容（設定内容がデフォルトから変更された設定項目の変更後の設定内容）を確認情報として配した画面である。たとえば、光沢モードおよび色再現モードを有効にする設定が行われたとする。この場合、設定確認画面２０Ｓには、光沢モードおよび色再現モードを有効に設定した旨の確認情報が配される。他の設定項目の設定内容もデフォルトから変更されていれば、当該設定項目の変更後の設定内容を示す情報が確認情報として設定確認画面２０Ｓに配される（図８では、便宜上、光沢モードに対応する確認情報および色再現モードに対応する確認情報のみを図示する）。
【００６８】
また、設定確認画面２０Ｓには、「ＹＥＳ」ボタンＢ２１および「ＮＯ」ボタンＢ２２が配される。ＰＣ制御部１１は、「ＹＥＳ」ボタンＢ２１に対する操作が行われると、当該操作を印刷設定の追加指示として検知する。この場合、ＰＣ制御部１１は、プロパティ画面ＰＳをＰＣ操作表示部１２に表示させる。これにより、順次受付処理の完了後、ユーザーは印刷設定を追加的に行うことができる。
【００６９】
また、ＰＣ制御部１１は、「ＮＯ」ボタンＢ２２に対する操作が行われると、当該操作を印刷設定の完了指示として検知する。この場合、ＰＣ制御部１１は、ＰＣ操作表示部１２に指示し、設定確認画面２０Ｓの表示を停止させる。たとえば、図５〜図７の設定画面１０Ｓや図８に示す設定確認画面２０Ｓは、基本印刷画面上にポップアップ表示される。したがって、設定確認画面２０Ｓの表示が停止されると、基本印刷画面の全面が表示された状態となる。
【００７０】
設定確認画面２０Ｓには、キャンセルボタンＢ２３が配される。ＰＣ制御部１１は、キャンセルボタンＢ２３に対する操作が行われると、当該操作をキャンセル指示として検知する。この場合、ＰＣ制御部１１は、ＰＣ操作表示部１２がキャンセル指示を受け付けるまでに行われた印刷設定での設定内容をキャンセルする（全ての設定項目の設定値がデフォルト値になる）。そして、ＰＣ制御部１１は、ＰＣ操作表示部１２に指示し、ＰＣ操作表示部１２にプロパティ画面ＰＳを表示させる。
【００７１】
図５〜図７に戻って、設定画面１０Ｓには、詳細設定ボタンＢ１４が配される。詳細設定ボタンＢ１４は、順次受付処理の停止指示を受け付けるためのボタンである。ＰＣ制御部１１は、詳細設定ボタンＢ１４が操作されたことを検知すると、ＰＣ操作表示部１２による順次受付処理を停止させ、ＰＣ操作表示部１２にプロパティ画面ＰＳを表示させる。順次受付処理を停止しても、プロパティ画面ＰＳが表示されるので、ユーザーは引き続き印刷設定を行うことができる。
【００７２】
ＰＣ操作表示部１２による順次受付処理の開始以降、印刷設定が完了したと判断したとき、ＰＣ制御部１１は、図９に示すような設定完了画面３０ＳをＰＣ操作表示部１２に表示させる。設定完了画面３０Ｓは、基本印刷画面上にポップアップ表示される。特に限定されないが、ＰＣ操作表示部１２は、設定完了画面３０Ｓを表示してから一定時間後に、設定完了画面３０Ｓの表示を停止し、基本印刷画面の全面を表示する。
【００７３】
なお、ＰＣ制御部１１は、ＰＣ操作表示部１２による順次受付処理を制御するため、図１０に示すようなミス確認画面４０ＳもＰＣ操作表示部１２に表示させる。ミス確認画面４０Ｓは、印刷設定を前回間違えたか否かをユーザーから受け付けるための画面である。ミス確認画面４０Ｓには、印刷設定を前回間違えた旨を受け付けるための「ＹＥＳ」ボタンＢ４１および印刷設定を間違えていない旨を受け付けるための「ＮＯ」ボタンＢ４２が配される。ミス確認画面４０Ｓの表示タイミングなどについては、後に詳細に説明する。
【００７４】
（第１ファイルであるか第２ファイルであるかの判断）
図示しないが、印刷指示を受けて表示される基本印刷画面には、プロパティボタンが配される。通常では、ユーザーがプロパティボタンを操作すると、プロパティ画面ＰＳ（図２参照）が表示される。
【００７５】
しかし、本実施形態では、ユーザーがプロパティボタンを操作すると、プロパティ画面ＰＳは表示されず、図１１に示すフローチャートに沿った処理がＰＣ制御部１１にて行われる。当該処理を行うことにより、ＰＣ制御部１１は、ＰＣ操作表示部１２が印刷指示を今回受け付けた今回印刷ファイルが第１ファイルであるか第２ファイルであるかを判断する。
【００７６】
具体的には、今回印刷ファイルとファイル形式が同じドキュメントファイルの印刷指示を従前に受け付けたことがない場合、ＰＣ制御部１１は今回印刷ファイルが第１ファイルであると判断する。一方で、今回印刷ファイルとファイル形式が同じドキュメントファイルの印刷指示を従前に受け付けたことがある場合、ＰＣ制御部１１は今回印刷ファイルが第２ファイルであると判断する。
【００７７】
以下に、図１１に示すフローチャートを参照し、ＰＣ制御部１１により行われる判断処理（今回印刷ファイルが第１ファイルであるか第２ファイルであるかを判断する処理）の流れを説明する。図１１に示すフローチャートは、基本印刷画面のプロパティボタンが操作されたことをＰＣ制御部１１が検知したときにスタートする。
【００７８】
ステップＳ１において、ＰＣ制御部１１は、ＰＣ操作表示部１２が印刷指示を今回受け付けた今回印刷ファイルのファイル形式を認識する。そして、ステップＳ２において、ＰＣ制御部１１は、今回印刷ファイルのファイル形式に対応する回数情報１００（第１回数情報１０１）がＰＣ記憶部１３に記憶されているか否かを判断する。その結果、今回印刷ファイルのファイル形式に対応する回数情報１００がＰＣ記憶部１３に記憶されていないとＰＣ制御部１１が判断した場合には、ステップＳ３に移行する。一方で、今回印刷ファイルのファイル形式に対応する回数情報１００がＰＣ記憶部１３に記憶されているとＰＣ制御部１１が判断した場合には、ステップＳ４に移行する。
【００７９】
今回印刷ファイルのファイル形式に対応する回数情報１００がＰＣ記憶部１３に記憶されていないということは、今回印刷ファイルとファイル形式が同じドキュメントファイルの印刷指示を従前に受け付けたことがないということである。一方で、今回印刷ファイルのファイル形式に対応する回数情報１００がＰＣ記憶部１３に記憶されているということは、今回印刷ファイルとファイル形式が同じドキュメントファイルの印刷指示を従前に受け付けたことがあるということである。
【００８０】
ステップＳ３に移行した場合、ＰＣ制御部１１は、今回印刷ファイルが第１ファイルであると判断する。一方で、ステップＳ４に移行した場合、ＰＣ制御部１１は、今回印刷ファイルが第２ファイルであると判断する。
【００８１】
（今回印刷ファイルが第１ファイルである場合の処理）
以下に、図１２に示すフローチャートを参照し、今回印刷ファイルが第１ファイルであるとＰＣ制御部１１が判断した場合にＰＣ制御部１１が行う処理（ＰＣ操作表示部１２による初回用処理を制御する処理を含む）の流れを説明する。
【００８２】
ステップＳ１１において、ＰＣ制御部１１は、初回用処理で表示する設定画面１０Ｓとして予め定められた２つ以上の設定画面１０Ｓ（以下、初回用設定画面１０Ｓと称する）を認識する。また、ＰＣ制御部１１は、２つ以上の初回用設定画面１０Ｓにそれぞれ割り当てられた順番を認識する。初回用設定画面１０Ｓを示す情報や初回用設定画面１０Ｓに割り当てられた順番を示す情報は予めＰＣ記憶部１３に記憶される。
【００８３】
ステップＳ１２において、ＰＣ制御部１１は、順次受付処理としての初回用処理をＰＣ操作表示部１２に開始させる。ＰＣ操作表示部１２は、初回用処理として、１番目から最終番目の各初回用設定画面１０Ｓを順番に１つずつ表示し、現在表示中の初回用設定画面１０Ｓに対応する設定項目の設定（印刷設定）をユーザーから受け付ける処理を行う。
【００８４】
ステップＳ１３において、ＰＣ制御部１１は、最終番目の初回用設定画面１０Ｓでの設定が完了したか否かを判断する。ここで、図５〜図７に示したように、設定画面１０Ｓには設定完了ボタンＢ１３が配される。しかし、最終番目の初回用設定画面１０Ｓには、設定完了ボタンＢ１３は配されない。たとえば、図７の色再現モードの設定画面１０Ｓが最終番目の初回用設定画面１０Ｓに設定されている場合、ＰＣ制御部１１は、ＰＣ操作表示部１２に色再現モードの設定画面１０Ｓを表示させるとき、色再現モードの設定画面１０Ｓから設定完了ボタンＢ１３を省略させる。
【００８５】
そして、ＰＣ制御部１１は、最終番目の初回用設定画面１０Ｓにおいて「ＹＥＳ」ボタンＢ１１および「ＮＯ」ボタンＢ１２のいずれかに対する操作が行われたことを検知すると、最終番目の初回用設定画面１０Ｓでの設定が完了したと判断する。この場合には、ステップＳ１４に移行する。ステップＳ１４に移行すると、ＰＣ制御部１１は、ＰＣ操作表示部１２に設定確認画面２０Ｓ（図８参照）を表示させる。
【００８６】
ステップＳ１３において、最終番目の初回用設定画面１０Ｓでの設定が完了していないとＰＣ制御部１１が判断した場合には、ステップＳ１５に移行する。ステップＳ１５に移行すると、ＰＣ制御部１１は、最終番目の初回用設定画面１０Ｓの表示前に、設定完了ボタンＢ１３に対する操作が行われたか否か（初回用処理の完了指示を受け付けたか否か）を判断する。その結果、設定完了ボタンＢ１３に対する操作が行われたとＰＣ制御部１１が判断した場合には、ステップＳ１４に移行する。
【００８７】
ステップＳ１５において、設定完了ボタンＢ１３に対する操作が行われていないとＰＣ制御部１１が判断した場合には、ステップＳ１６に移行する。ステップＳ１６に移行すると、ＰＣ制御部１１は、詳細設定ボタンＢ１４に対する操作が行われたか否か（初回用処理の停止指示を受け付けたか否か）を判断する。その結果、詳細設定ボタンＢ１４に対する操作が行われたとＰＣ制御部１１が判断した場合には、ステップＳ１７に移行する。ステップＳ１７に移行した場合、ＰＣ制御部１１は、ＰＣ操作表示部１２にプロパティ画面ＰＳを表示させる（プロパティ画面ＰＳでの設定の受け付けをＰＣ操作表示部１２に行わせる）。
【００８８】
一方で、詳細設定ボタンＢ１４に対する操作が行われていないとＰＣ制御部１１が判断した場合には、ステップＳ１３に移行する。この場合には、初回用処理が続行される。
【００８９】
（今回印刷ファイルが第２ファイルである場合の処理）
以下に、図１３に示すフローチャートを参照し、今回印刷ファイルが第２ファイルであるとＰＣ制御部１１が判断した場合にＰＣ制御部１１が行う処理（ミス判定処理を含む）の流れを説明する。
【００９０】
ステップＳ２１において、ＰＣ制御部１１は、今回印刷ファイルのファイル名を認識する。そして、ステップＳ２２において、ＰＣ制御部１１は、今回印刷ファイルと同じファイル名を含む履歴情報２００がＰＣ記憶部１３に記憶されているか否かを判断する。その結果、今回印刷ファイルと同じファイル名を含む履歴情報２００がＰＣ記憶部１３に記憶されていないとＰＣ制御部１１が判断した場合には、ステップＳ２３に移行する。ステップＳ２３に移行すると、ＰＣ制御部１１は、ＰＣ操作表示部１２に行わせる順次受付処理として通常処理を選択する。なお、通常処理については後述する。
【００９１】
なお、今回印刷ファイルと同じファイル名を含む履歴情報２００が記憶されていないということは、今回印刷ファイルと同じファイル形式に対応する第１回数情報１０１は存在する一方で、今回印刷ファイルと同じファイル名に対応する第２回数情報１０２は存在しないということである。
【００９２】
ステップＳ２２において、今回印刷ファイルと同じファイル名を含む履歴情報２００がＰＣ記憶部１３に記憶されているとＰＣ制御部１１が判断した場合には、ステップＳ２４に移行する。なお、今回印刷ファイルと同じファイル名を含む履歴情報２００が記憶されているということは、今回印刷ファイルと同じファイル名に対応する第２回数情報１０２が存在するということである。
【００９３】
ステップＳ２４に移行すると、ＰＣ制御部１１は、今回印刷ファイルの履歴情報２００に基づき、今回印刷ファイルの更新日時、ファイルサイズおよび受付日時を認識する。また、ＰＣ制御部１１は、今回印刷ファイルとファイル名が同じであって印刷指示を前回受け付けたドキュメントファイル（以下、前回印刷ファイルと称する）の履歴情報２００に基づき、前回印刷ファイルの更新日時、ファイルサイズおよび受付日時を認識する。
【００９４】
その後、ステップＳ２５において、ＰＣ制御部１１は、今回印刷ファイルの更新日時と前回印刷ファイルの更新日時とが同じである否かを判断する。その結果、今回印刷ファイルの更新日時と前回印刷ファイルの更新日時とが異なるとＰＣ制御部１１が判断した場合には、ステップＳ２６に移行する。
【００９５】
ステップＳ２６に移行すると、ＰＣ制御部１１は、前回印刷ファイルのファイルサイズに対して今回印刷ファイルのファイルサイズが予め定められた閾値サイズ以上増減しているか否かを判断する。たとえば、前回印刷ファイルのファイルサイズの１／３サイズが閾値サイズとされる。
【００９６】
ステップＳ２６において、前回印刷ファイルのファイルサイズに対して今回印刷ファイルのファイルサイズが閾値サイズ以上増減しているとＰＣ制御部１１が判断した場合には、ステップＳ２３に移行する。この場合、ＰＣ制御部１１は、ＰＣ操作表示部１２に行わせる順次受付処理として通常処理を選択する。
【００９７】
ステップＳ２６において、前回印刷ファイルのファイルサイズに対して今回印刷ファイルのファイルサイズが閾値サイズ以上増減していない（増減幅が小さい）とＰＣ制御部１１が判断した場合には、ステップＳ２７に移行する。ステップＳ２７に移行すると、ＰＣ制御部１１は、ＰＣ操作制御部１２に行わせる順次受付処理としてファイル名優先処理を選択する。なお、ファイル名優先処理については後述する。
【００９８】
ステップＳ２５において、今回印刷ファイルの更新日時と前回印刷ファイルの更新日時とが同じであるとＰＣ制御部１１が判断した場合には、ＰＣ制御部１１によりミス判定処理が行われる。ＰＣ制御部１１によるミス判定処理では、前回印刷ファイルの印刷に際し行われた印刷設定（以下、前回印刷設定と称する場合がある）において設定ミスが発生した可能性があるか否かの判定が行われる。
【００９９】
ＰＣ制御部１１がミス判定処理を行う場合には、ステップＳ２８に移行する。ステップＳ２８に移行すると、ＰＣ制御部１１は、今回印刷ファイルの受付日時から前回印刷ファイルの受付日時までの期間（以下、対象期間と称する場合がある）が予め定められた閾値期間以下であるか否かを判断する。たとえば、閾値期間は十数分〜数十分（たとえば、１０分〜３０分）である。その結果、対象期間が閾値期間を超えるとＰＣ制御部１１が判断した場合には、ステップＳ２９に移行する。
【０１００】
ステップＳ２９に移行すると、ＰＣ制御部１１は、設定ミスが発生していないと判定する。その後、ステップＳ３０において、ＰＣ制御部１１は、設定復元処理を行う。なお、設定復元処理については後述する。
【０１０１】
ステップＳ２８において、対象期間が閾値期間以下であるとＰＣ制御部１１が判断すると、ステップＳ３１に移行する。ステップＳ３１に移行した場合、ＰＣ制御部１１は、設定ミスが発生した可能性があると判定する。そして、ステップＳ３２に移行する。
【０１０２】
ステップＳ３２に移行すると、ＰＣ制御部１１は、ＰＣ操作表示部１２にミス確認画面４０Ｓ（図１０参照）を表示させる。すなわち、ＰＣ操作表示部１２は、印刷設定を前回間違えたか否かをユーザーから受け付ける。なお、図１０に示すミス確認画面４０Ｓの「・・・」には、前回印刷ファイルのファイル名が挿入される。
【０１０３】
ミス確認画面４０Ｓの表示後、ステップＳ３３において、ＰＣ制御部１１は、印刷設定を前回間違えた旨をＰＣ操作表示部１２が受け付けたか否か（ミス確認画面４０Ｓの「ＹＥＳ」ボタンＢ４１が操作されたか否か）を判断する。その結果、印刷設定を前回間違えた旨をＰＣ操作表示部１２が受け付けた（「ＹＥＳ」ボタンＢ４１が操作された）とＰＣ制御部１１が判断した場合には、ステップＳ３４に移行する。ステップＳ３４に移行すると、ＰＣ制御部１１は、回数情報修正処理を行う。なお、回数情報修正処理については後述する。
【０１０４】
ステップＳ３３において、印刷設定を前回間違えていない旨をＰＣ操作表示部１２が受け付けた（「Ｎｏ」ボタンＢ４２が操作された）とＰＣ制御部１１が判断した場合には、ステップＳ２３に移行する。この場合、ＰＣ制御部１１は、ＰＣ操作表示部１２に行わせる順次受付処理として通常処理を選択する。
【０１０５】
（通常処理）
以下に、図１４に示すフローチャートを参照し、ＰＣ制御部１１が通常処理を選択した場合にＰＣ制御部１１が行う処理（ＰＣ操作表示部１２による通常処理を制御する処理を含む）の流れを説明する。
【０１０６】
ステップＳ４１において、ＰＣ制御部１１は、ＰＣ操作表示部１２に表示させるべき設定画面１０Ｓ（以下、通常処理用設定画面１０Ｓと称する）を選択する選択処理を行う。このとき、ＰＣ制御部１１は、今回印刷ファイルのファイル形式に対応する回数情報１００（第１回数情報１０１）で示される複数の設定項目のうち、設定回数が最も多い１番目の設定項目からＮ番目の設定項目までの各設定画面１０Ｓを通常処理用設定画面１０Ｓとして選択する。
【０１０７】
通常処理で表示する設定画面１０Ｓの上限数は予め定められ、ＰＣ記憶部１３に予め記憶される。当該上限数はユーザーが任意に変更することができ、変更の受け付けはＰＣ操作表示部１２が行う。なお、設定回数の値が所定値以上（所定値は２以上の値である）の設定項目に対応する設定画面１０Ｓだけが選択処理の対象とされてもよい。このようにすると、ユーザーが頻繁に設定する設定項目（使用頻度の高い設定項目）に対応する設定画面１０Ｓだけが通常処理用選択画面１０Ｓとして選択される。
【０１０８】
ステップＳ４２において、ＰＣ制御部１１は、通常処理をＰＣ操作表示部１２に開始させる。ＰＣ操作表示部１２は、通常処理として、ＰＣ制御部１１による選択処理で選択された２つ以上の通常処理用設定画面１０Ｓを設定回数が最も多い通常処理用設定画面１０Ｓから順番に１つずつ表示し、現在表示中の通常処理用設定画面１０Ｓに対応する設定項目の設定（印刷設定）をユーザーから受け付ける処理を行う。
【０１０９】
ステップＳ４３において、ＰＣ制御部１１は、最終番目の通常処理用設定画面１０Ｓ（対応する設定項目の設定回数が最も少ない通常処理用設定画面１０Ｓ）での設定が完了したか否かを判断する。ＰＣ制御部１１は、初回用処理と同様、最終番目の通常処理用設定画面１０Ｓにおいて「ＹＥＳ」ボタンＢ１１および「ＮＯ」ボタンＢ１２のいずれかに対する操作が行われたことを検知すると、最終番目の通常処理用設定画面１０Ｓでの設定が完了したと判断する。なお、通常処理では、初回用処理と同様、最終番目の通常処理用設定画面１０Ｓには設定完了ボタンＢ１３が配されない。
【０１１０】
ステップＳ４３において、最終番目の通常処理用設定画面１０Ｓでの設定が完了したとＰＣ制御部１１が判断した場合には、ステップＳ４４に移行する。ステップＳ４４に移行すると、ＰＣ制御部１１は、ＰＣ操作表示部１２に設定確認画面２０Ｓ（図８参照）を表示させる。
【０１１１】
ステップＳ４３において、最終番目の通常処理用設定画面１０Ｓでの設定が完了していないとＰＣ制御部１１が判断した場合には、ステップＳ４５に移行する。ステップＳ４５に移行すると、ＰＣ制御部１１は、最終番目の通常処理用設定画面１０Ｓの表示前に、設定完了ボタンＢ１３に対する操作が行われたか否か（通常処理の完了指示を受け付けたか否か）を判断する。その結果、設定完了ボタンＢ１３に対する操作が行われたとＰＣ制御部１１が判断した場合には、ステップＳ４４に移行する。
【０１１２】
ステップＳ４５において、設定完了ボタンＢ１３に対する操作が行われていないとＰＣ制御部１１が判断した場合には、ステップＳ４６に移行する。ステップＳ４６に移行すると、ＰＣ制御部１１は、詳細設定ボタンＢ１４に対する操作が行われたか否か（通常処理の停止指示を受け付けたか否か）を判断する。その結果、詳細設定ボタンＢ１４に対する操作が行われたとＰＣ制御部１１が判断した場合には、ステップＳ４７に移行する。ステップＳ４７に移行した場合、ＰＣ制御部１１は、ＰＣ操作表示部１２にプロパティ画面ＰＳを表示させる（プロパティ画面ＰＳでの設定の受け付けをＰＣ操作表示部１２に行わせる）。
【０１１３】
一方で、詳細設定ボタンＢ１４に対する操作が行われていないとＰＣ制御部１１が判断すると、ステップＳ４３に移行する。この場合には、通常処理が続行される。
【０１１４】
（ファイル名優先処理）
以下に、図１５に示すフローチャートを参照し、ＰＣ制御部１１がファイル名優先処理を選択した場合にＰＣ制御部１１が行う処理（ＰＣ操作表示部１２によるファイル名優先処理を制御する処理を含む）の流れを説明する。
【０１１５】
ステップＳ５１において、ＰＣ制御部１１は、ＰＣ操作表示部１２に表示させるべき設定画面１０Ｓ（以下、優先処理用設定画面１０Ｓと称する）を選択する選択処理を行う。このとき、ＰＣ制御部１１は、今回印刷ファイルのファイル名に対応する回数情報１００（第２回数情報１０２）で示される複数の設定項目のうち、設定回数が最も多い１番目の設定項目からＮ番目の設定項目までの各設定画面１０Ｓを優先処理用設定画面１０Ｓとして選択する。
【０１１６】
ファイル名優先処理で表示する設定画面１０Ｓの上限数は予め定められ、ＰＣ記憶部１３に予め記憶される。当該上限数はユーザーが任意に変更することができ、変更の受け付けはＰＣ操作表示部１２が行う。なお、設定回数の値が所定値以上（所定値は２以上の値である）の設定項目に対応する設定画面１０Ｓだけが選択処理の対象とされてもよい。このようにすると、ユーザーが頻繁に設定する設定項目（使用頻度の高い設定項目）に対応する設定画面１０Ｓだけが優先処理用選択画面１０Ｓとして選択される。
【０１１７】
ステップＳ５２において、ＰＣ制御部１１は、ファイル名優先処理をＰＣ操作表示部１２に開始させる。ＰＣ操作表示部１２は、ファイル名優先処理として、ＰＣ制御部１１による選択処理で選択された２つ以上の優先処理用設定画面１０Ｓを設定回数が最も多い優先処理用設定画面１０Ｓから順番に１つずつ表示し、現在表示中の優先処理用設定画面１０Ｓに対応する設定項目の設定（印刷設定）をユーザーから受け付ける処理を行う。
【０１１８】
ステップＳ５３において、ＰＣ制御部１１は、最終番目の優先処理用設定画面１０Ｓ（対応する設定項目の設定回数が最も少ない優先処理用設定画面１０Ｓ）での設定が完了したか否かを判断する。ＰＣ制御部１１は、初回用処理や通常処理と同様、最終番目の優先処理用設定画面１０Ｓにおいて「ＹＥＳ」ボタンＢ１１および「ＮＯ」ボタンＢ１２のいずれかに対する操作が行われたことを検知すると、最終番目の優先処理用設定画面１０Ｓでの設定が完了したと判断する。なお、ファイル名優先処理では、初回用処理や通常処理と同様、最終番目の優先処理用設定画面１０Ｓには設定完了ボタンＢ１３が配されない。
【０１１９】
ステップＳ５３において、最終番目の優先処理用設定画面１０Ｓでの設定が完了したとＰＣ制御部１１が判断した場合には、ステップＳ５４に移行する。ステップＳ５４に移行すると、ＰＣ制御部１１は、ＰＣ操作表示部１２に設定確認画面２０Ｓ（図８参照）を表示させる。
【０１２０】
ステップＳ５３において、最終番目の優先処理用設定画面１０Ｓでの設定が完了していないとＰＣ制御部１１が判断した場合には、ステップＳ５５に移行する。ステップＳ５５に移行すると、ＰＣ制御部１１は、最終番目の優先処理用設定画面１０Ｓの表示前に、設定完了ボタンＢ１３に対する操作が行われたか否か（ファイル名優先処理用の完了指示を受け付けたか否か）を判断する。その結果、設定完了ボタンＢ１３に対する操作が行われたとＰＣ制御部１１が判断した場合には、ステップＳ５４に移行する。
【０１２１】
ステップＳ５５において、設定完了ボタンＢ１３に対する操作が行われていないとＰＣ制御部１１が判断した場合には、ステップＳ５６に移行する。ステップＳ５６に移行すると、ＰＣ制御部１１は、詳細設定ボタンＢ１４に対する操作が行われたか否か（ファイル名優先処理の停止指示を受け付けたか否か）を判断する。その結果、詳細設定ボタンＢ１４に対する操作が行われたとＰＣ制御部１１が判断した場合には、ステップＳ５７に移行する。ステップＳ５７に移行した場合、ＰＣ制御部１１は、ＰＣ操作表示部１２にプロパティ画面ＰＳを表示させる（プロパティ画面ＰＳでの設定の受け付けをＰＣ操作表示部１２に行わせる）。
【０１２２】
一方で、詳細設定ボタンＢ１４に対する操作が行われていないとＰＣ制御部１１が判断すると、ステップＳ５３に移行する。この場合には、ファイル名優先処理が続行される。
【０１２３】
（回数情報修正処理）
以下に、図１６に示すフローチャートを参照し、ＰＣ制御部１１が行う回数情報修正処理の流れを説明する。
【０１２４】
ステップＳ６１において、ＰＣ制御部１１は、前回印刷設定（前回印刷ファイルの印刷に際し行われた印刷設定）が行われたことによって設定回数の値をカウントアップした設定項目を修正対象と認識する。
【０１２５】
そして、ステップＳ６２において、ＰＣ制御部１１は、修正対象の設定項目の設定回数の値を修正する処理を回数情報修正処理として行う。このとき、ＰＣ制御部１１は、今回印刷ファイルのファイル形式（すなわち、前回印刷ファイルのファイル形式）に対応する回数情報１００である第１回数情報１０１で示される設定項目のうち、修正対象の設定項目の設定回数の値を前回印刷設定が行われる直前の値に戻す。また、ＰＣ制御部１１は、今回印刷ファイルのファイル名（すなわち、前回印刷ファイルのファイル名）に対応する回数情報１００である第２回数情報１０２で示される設定項目のうち、修正対象の設定項目の設定回数の値を前回印刷設定が行われる直前の値に戻す。
【０１２６】
ＰＣ制御部１１による回数情報修正処理の後、図１４に示したフローチャートがスタートする。この場合には、ＰＣ制御部１１による回数情報修正処理によって修正された回数情報１００が用いられる。
【０１２７】
（設定復元処理）
以下に、図１７に示すフローチャートを参照し、ＰＣ制御部１１が行う設定復元処理の流れを説明する。
【０１２８】
ステップＳ７１において、ＰＣ制御部１１は、前回印刷設定（前回印刷ファイルの印刷に際し行われた印刷設定）が行われたことによって設定内容がデフォルトから変更された設定項目を復元対象と認識する。また、ステップＳ７２において、ＰＣ制御部１１は、復元対象の設定項目の前回印刷設定時の設定内容（以下、前回設定内容と称する）を認識する。
【０１２９】
そして、ステップＳ７３において、ＰＣ制御部１１は、復元対象の設定項目の設定内容を前回設定内容に復元する。すなわち、復元対象の設定項目の設定内容が前回設定内容と同じ内容に変更される。たとえば、前回印刷設定においてエコプリントモードを有効に設定していた場合には、ＰＣ制御部１１による設定復元処理によってエコプリントモードが無効（デフォルト）から有効に設定される。その後、ステップＳ７４において、ＰＣ制御部１１は、ＰＣ操作表示部１２に設定確認画面２０Ｓ（図８参照）を表示させる。
【０１３０】
（プロパティ画面が表示されて以降の処理）
以下に、図１８に示すフローチャートを参照し、プロパティ画面ＰＳが表示されて以降にＰＣ制御部１１が行う処理の流れを説明する。設定画面１０Ｓの詳細設定ボタンＢ１４に対する操作をユーザーが行ったときや、設定確認画面２０Ｓの「ＹＥＳ」ボタンＢ２１に対する操作をユーザーが行ったときに、プロパティ画面ＰＳが表示され、図１８に示すフローチャートがスタートする。
【０１３１】
ステップＳ８１において、ＰＣ制御部１１は、プロパティ画面ＰＳでの印刷設定の受け付けをＰＣ操作表示部１２に行わせる。言い換えると、ＰＣ操作表示部１２は、ユーザーから詳細設定を受け付ける。
【０１３２】
ステップＳ８２において、ＰＣ制御部１１は、ＰＣ操作表示部１２が印刷設定の完了指示を受け付けたか否か（プロパティ画面ＰＳの「ＯＫ」ボタンＢ１に対する操作が行われたか否か）を判断する。その結果、印刷設定の完了指示を受け付けた（「ＯＫ」ボタンＢ１に対する操作が行われた）とＰＣ制御部１１が判断した場合には、ステップＳ８３に移行する。
【０１３３】
ステップＳ８３に移行すると、ＰＣ制御部１１は、印刷設定が完了したと判断する。その後、ＰＣ制御部１１は、回数情報更新処理を行う。なお、回数情報更新処理については後述する。
【０１３４】
ステップＳ８２において、印刷設定の完了指示を受け付けていないとＰＣ制御部１１が判断した場合には、ステップＳ８４に移行する。ステップＳ８４に移行すると、ＰＣ制御部１１は、ＰＣ操作表示部１２が印刷設定のキャンセル指示を受け付けたか否か（プロパティ画面ＰＳのキャンセルボタンＢ２に対する操作が行われたか否か）を判断する。その結果、印刷設定のキャンセル指示を受け付けた（キャンセルボタンＢ２に対する操作が行われた）とＰＣ制御部１１が判断した場合には、本フローは終了する。たとえば、印刷設定をキャンセルした場合には、それまでの印刷設定で設定した設定内容が全てキャンセルされる。一方で、印刷設定のキャンセル指示を受け付けていないとＰＣ制御部１１が判断した場合には、ステップＳ８１に移行する（プロパティ画面ＰＳでの印刷設定の受け付けが続行される）。
【０１３５】
（回数情報更新処理）
以下に、図１９に示すフローチャートを参照し、ＰＣ制御部１１が行う回数情報更新処理の流れを説明する。
【０１３６】
ここで、ＰＣ制御部１１は、プロパティ画面ＰＳの「ＯＫ」ボタンＢ１に対する操作が行われたとき、当該操作を印刷設定の完了指示として受け付け、印刷設定が完了したと判断する。あるいは、ＰＣ制御部１１は、設定確認画面２０Ｓの「ＮＯ」ボタンＢ２２に対する操作が行われたとき、当該操作を印刷設定の完了指示として受け付け、印刷設定が完了したと判断する。そして、印刷設定が完了したとＰＣ制御部１１が判断したとき、図１９に示すフローチャートがスタートする。
【０１３７】
なお、ＰＣ制御部１１は、印刷設定が完了したと判断すると、ＰＣ操作表示部１２に指示し、プロパティ画面ＰＳや設定確認画面２０Ｓの表示を停止させる（基本印刷画面の全面が表示される）。これにより、基本印刷画面の送信ボタンに対する操作が可能となる。
【０１３８】
ステップＳ９１において、ＰＣ制御部１１は、今回印刷ファイルに対応する回数情報１００を更新する。今回印刷ファイルに対応する回数情報１００が存在しない場合には、今回印刷ファイルに対応する回数情報１００が追加される。
【０１３９】
ステップＳ９２において、ＰＣ制御部１１は、今回印刷ファイルの印刷履歴（印刷指示を受け付けた印刷日時、ファイル名、更新日時、および、ファイルサイズなど）を示す履歴情報２００をＰＣ記憶部１３に記憶させる。以降、今回印刷ファイルとファイル名が同じドキュメントファイルの印刷指示をＰＣ操作表示部１２が受け付けた場合には、このときにＰＣ記憶部１３に記憶された履歴情報２００に基づき、ＰＣ制御部１１によるミス判定処理が行われる。
【０１４０】
ステップＳ９３において、ＰＣ制御部１１は、ＰＣ操作表示部１２に設定完了画面３０Ｓ（図９参照）を表示させる。設定完了画面３０Ｓには、印刷設定が完了した旨のメッセージが配される。
【０１４１】
本実施形態の構成では、上記のように、或るファイルを今回印刷するとき、今回印刷ファイルと同じファイル形式のファイルを従前に印刷したことがあれば、順次受付処理として通常処理が行われる。通常処理では、今回印刷ファイルのファイル形式に対応する回数情報１００で示される複数の設定項目のうち、設定回数が最も多い設定項目の設定画面１０Ｓから順番に、２つ以上の設定項目の設定画面１０Ｓが１つずつ表示される。言い換えると、設定回数がより多い設定項目の設定画面１０Ｓが優先的に表示される。このため、今回印刷ファイルと同じファイル形式のファイルの印刷時（従前の印刷時）に設定した設定内容を今回印刷ファイルの印刷にも反映させたい場合には、設定を簡単に行えるようになる。その結果、印刷の設定を行うときの利便性を向上させることができる。
【０１４２】
また、本実施形態では、上記のように、ＰＣ制御部１１は、ミス判定処理の結果、設定ミスが発生した可能性があると判定したとき、回数情報修正処理を行ってから、ＰＣ操作表示部１２に通常処理を行わせる。すなわち、ユーザーが設定を間違えた場合、回数情報１００が修正される。したがって、回数情報１００に基づき行われる通常処理において、ユーザー所望の設定画面１０Ｓとは異なる設定画面１０Ｓが優先的に表示されるのを抑制することができる。
【０１４３】
ここで、ユーザーはファイルの印刷を指示してから印刷設定を行うが、当該印刷設定をユーザーが間違えた場合には、それほど時間を空けずに、ユーザーは同じファイルの印刷を指示して印刷設定を再度行う。すなわち、今回印刷ファイルの更新日時と前回印刷ファイルの更新日時とが同じで、かつ、今回印刷ファイルの受付日時から前回印刷ファイルの受付日時までの期間が閾値期間以下である場合には、前回印刷設定において設定ミスが発生した可能性が高いと言える。
【０１４４】
そこで、本実施形態では、上記のように、ＰＣ制御部１１は、今回印刷ファイルの更新日時と前回印刷ファイルの更新日時とが同じで、かつ、今回印刷ファイルの受付日時から前回印刷ファイルの受付日時までの期間が閾値期間以下であるとき、設定ミスが発生した可能性があると判定する。これにより、ＰＣ制御部１１によるミス判定処理の精度を高くすることができる。
【０１４５】
また、本実施形態では、上記のように、ＰＣ制御部１１は、設定ミスが発生した可能性があると判定したとき、印刷設定を前回間違えたか否かの受け付けをＰＣ操作表示部１２に行わせ、印刷設定を前回間違えた旨を受け付けた場合に、回数情報修正処理を行ってから、ＰＣ操作表示部１２に通常処理を行わせ、印刷設定を間違えていない旨を受け付けた場合には、回数情報修正処理を行わずに、ＰＣ操作表示部に通常処理を行わせる。これにより、ユーザーが印刷設定を前回間違えていないにもかかわらず、ＰＣ制御部１１による回数情報修正処理が行われるのを抑制することができる。
【０１４６】
また、本実施形態では、上記のように、ＰＣ制御部１１は、今回印刷ファイルの更新日時と前回印刷ファイルの更新日時とが同じで、かつ、今回印刷ファイルの受付日時から前回印刷ファイルの受付日時までの期間が閾値期間を超えているとき、設定ミスが発生していないと判定し、前回設定が行われたことによって設定内容が変更された設定項目を認識するとともに、当該認識した設定項目の設定内容を前回設定が行われたときの設定内容に変更する（設定復元処理を行う）。ここで、今回印刷ファイルの受付日時から前回印刷ファイルの受付日時までの期間が閾値期間を超えている場合には、今回印刷ファイルの更新日時と前回印刷ファイルの更新日時とが同じであっても、前回設定において設定ミスが発生した可能性は低い。たとえば、前回印刷ファイルの印刷により得られた印刷物と同じ印刷物（今回印刷ファイルの印刷により得られる印刷物）が新たに必要になった可能性がある。
【０１４７】
この場合、前回印刷設定が行われたことによって設定内容が変更された設定項目の設定内容を前回印刷設定が行われたときの設定内容に変更すれば、ユーザーは今回印刷ファイルの印刷に際し印刷設定を行わなくてもよくなる。これにより、ユーザーの利便性が向上する。
【０１４８】
また、本実施形態では、上記のように、ＰＣ制御部１１は、今回印刷ファイルの更新日時と前回印刷ファイルの更新日時とが異なり、かつ、今回印刷ファイルのファイルサイズが前回印刷ファイルのファイルサイズに対して閾値サイズ以上増減しているとき、ミス判定処理を行わず、ＰＣ操作表示部１２に通常処理を行わせる。ここで、今回印刷ファイルのファイルサイズが前回印刷ファイルのファイルサイズに対して閾値サイズ以上増減しているということは、ファイルに対し大幅な変更が加えられたということであり、今回印刷ファイルは前回印刷ファイルとファイル名が同じであっても前回印刷ファイルとは別物であるということである。この場合には、前回とは異なる設定内容での印刷をユーザーが所望している可能性があるので、設定復元処理を行わず、通常設定を行うのが好ましい。
【０１４９】
また、本実施形態では、上記のように、ＰＣ制御部１１は、今回印刷ファイルの更新日時と前回印刷ファイルの更新日時とが異なり、かつ、今回印刷ファイルのファイルサイズが前回印刷ファイルのファイルサイズに対して閾値サイズ以上増減していないとき、今回印刷ファイルと同じファイル名に対応する回数情報で示される複数の設定項目のうち、設定回数が最も多い設定項目の設定画面から順番に、２つ以上の設定項目の設定画面を１つずつ表示し印刷設定を受け付けるファイル名優先処理を順次受付処理としてＰＣ操作表示部１２に行わせる。ここで、今回印刷ファイルのファイルサイズが前回印刷ファイルのファイルサイズに対して閾値サイズ以上増減していないということは、ファイルに対し軽微な修正が行われただけの可能性が高く、今回印刷ファイルが前回印刷ファイルとは別物であるとは言えない。このため、この場合には、順次受付処理としてファイル名優先処理が行われる。これにより、ユーザーの利便性が向上する。
【０１５０】
また、本実施形態では、上記のように、ＰＣ制御部１１は、印刷設定が行われたことによって設定内容を変更した設定項目の変更後の設定内容をＰＣ操作表示部１２に表示させる。これにより、変更後の設定内容を確認することができるので、ユーザーによっては利便性が良い。
【０１５１】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【０１５２】
たとえば、上記実施形態では、複合機２に通信可能に接続されたＰＣ１（ＰＤ１１０がインストールされたＰＣ１）に本発明を適用する例について説明したが、本発明はこれに限らず、複合機２の操作パネル３に本発明を適用してもよい。
【０１５３】
操作パネル３に本発明を適用する場合には、パネル制御部３１が「制御部」として機能し、パネル操作表示部３２が「操作表示部」として機能し、パネル記憶部３３が「記憶部」として機能する。そして、たとえば、パネル制御部３１は、ＵＳＢダイレクト印刷を行うとき（印刷対象のファイルを格納したＵＳＢデバイスが複合機２に装着されたことを検知したとき）、パネル操作表示部３２に順次受付処理を行わせる。
【符号の説明】
【０１５４】
１  ＰＣ（指示受付装置）
２  複合機（画像形成装置）
１１  ＰＣ制御部（制御部）
１２  ＰＣ操作表示部（操作表示部）
１３  ＰＣ記憶部（記憶部）
【図１】
2019045890.tif 000003
【図２】
2019045890.tif 000004
【図３】
2019045890.tif 000005
【図４】
2019045890.tif 000006
【図５】
2019045890.tif 000007
【図６】
2019045890.tif 000008
【図７】
2019045890.tif 000009
【図８】
2019045890.tif 000010
【図９】
2019045890.tif 000011
【図１０】
2019045890.tif 000012
【図１１】
2019045890.tif 000013
【図１２】
2019045890.tif 000014
【図１３】
2019045890.tif 000015
【図１４】
2019045890.tif 000016
【図１５】
2019045890.tif 000017
【図１６】
2019045890.tif 000018
【図１７】
2019045890.tif 000019
【図１８】
2019045890.tif 000020
【図１９】
2019045890.tif 000021